(57)【特許請求の範囲】
【請求項１】
円筒形タンクの球面屋根の外周に周方向に設ける歩廊であって、
前記球面屋根の外周縁部の上側で且つ前記円筒形タンクの側壁の頂部となる個所の上面に設けられている上面が通行路とされる歩廊本体と、
前記歩廊本体における通行路の外周側に、解除可能に立設された歩廊手摺と、
前記歩廊本体の内周端部近傍となる前記球面屋根の外周寄り個所に周方向に配列して設けられた複数の支持ピースと、
前記球面屋根の外周寄り個所に設けられた前記各支持ピースに一端側が接続された連結索と、
前記通行路の内周寄り個所に前記歩廊本体に沿って延びるよう配置されて、長手方向の複数個所が前記各連結索の他端部に連結された親綱とを備えること
を特徴とする円筒形タンクの歩廊。
【請求項２】
前記支持ピースは、プレート形状を有するものとされ、該支持ピースが前記球面屋根の径方向に沿う面内に配置した姿勢で前記球面屋根に固定されること
を特徴とする請求項１記載の円筒形タンクの歩廊。
【請求項３】
前記支持ピースは、前記球面屋根を構築している屋根板における、隣接する別の屋根板との溶接継手と重ならない個所で、且つ該屋根板の下面側に配置されて該屋根板が固定されている屋根骨の近傍となる個所に固定されること
を特徴とする請求項１又は２記載の円筒形タンクの歩廊。
【請求項４】
前記歩廊手摺は、立設を解除可能な手摺本体と、該手摺本体を前記通行路に突出しないように収納する収納部を備えること
を特徴とする請求項１から請求項３のいずれか一項に記載の円筒形タンクの歩廊。
【発明の詳細な説明】
【技術分野】
【０００１】
本発明は、球面屋根を有する円筒形タンクの歩廊に関するものである。
【背景技術】
【０００２】
地上式のＬＮＧタンクやＬＰＧタンクとしては、たとえば、コンクリート製の側壁と、外槽屋根として球面屋根を有する形式の円筒形タンクが用いられている。
【０００３】
この種の円筒形タンクには、一般に、球面屋根の外周部の側壁上部に、周方向に延びる歩廊が全周に亘り設けられている。これにより、作業者が歩廊を歩行して、点検対象となる機器や計器の点検作業を行うようにしてある。
【０００４】
歩廊は、通常、作業者が通行する通行路の外周側に、作業者の転落防止を図るための歩廊手摺を備えている。
【０００５】
ところで、球面屋根を有する円筒形タンクでは、降雪時に、球面屋根の上側に積もった雪が、球面屋根の傾斜に沿って滑り落ちる。球面屋根を滑り落ちた雪は、球面屋根の外周部の歩廊に溜まることがある。このようにして歩廊に溜まる雪は、球面屋根より新たに滑り落ちる雪によって外周方向へ順次押し出される。
【０００６】
そのため、歩廊の外周側に設けられている歩廊手摺は、この歩廊上で外周方向に押し出される雪により外向きの荷重を受けることがあり、この荷重が過大になると、歩廊手摺に損傷が生じる虞がある。
【０００７】
なお、球面屋根を有する円筒形タンクにて、歩廊への雪の堆積による不具合の発生を防止するための対策としては、歩廊の通行路を、外側に向かって低くなるように傾斜させた構成とし、更に、降雪時には、歩廊手摺を直立位置以外の位置に移動させることが、従来提案されている（たとえば、特許文献１参照）。
【０００８】
しかし、降雪時に歩廊手摺を直立位置以外の位置に移動させた状態では、歩廊手摺を作業者の転落防止手段として使用できなくなる。そのため、特許文献１に示されたものでは、降雪時には作業者が歩廊を通行することが困難になるため、円筒形タンクの球面屋根に設けられている機器や計器の点検作業の実施も困難になる。
【０００９】
又、歩廊手摺を直立位置以外の位置へ移動させる作業を行わないうちに、多量の降雪が生じた場合は、前述したように、球面屋根より滑り落ちて歩廊に溜まる雪より歩廊手摺が大きな荷重を受けることがある。そのため、この場合は、歩廊手摺に損傷が生じたか否かを確認することが望まれる。しかし、歩廊手摺の健全性を確認する作業は、歩廊手摺が作業者の転落防止を図る機能を有しているという信頼性が不確実な状態で行う作業であるため、この作業の間、作業者の転落防止を図る手段の確保が難しい。
【００１０】
更に、特許文献１に示されたものでは、歩廊手摺を直立位置以外の位置に移動させる作業、あるいは、歩廊手摺を直立位置に復帰させる作業を行うときに作業者の転落防止を図る考えは何ら示されていない。
【先行技術文献】
【特許文献】
【００１１】
【特許文献１】特許第２９７４１２８号公報
【発明の概要】
【発明が解決しようとする課題】
【００１２】
そこで、本発明は、作業者が、手摺の有無にかかわらず転落防止の安全確保を図った状態で通行することができる円筒形タンクの歩廊を提供しようとするものである。
【課題を解決するための手段】
【００１３】
本発明は、前記課題を解決するために、円筒形タンクの球面屋根の外周に周方向に設ける歩廊であって、前記球面屋根の外周縁部の上側で且つ前記円筒形タンクの側壁の頂部となる個所の上面に設けられている上面が通行路とされる歩廊本体と、前記歩廊本体における通行路の外周側に、解除可能に立設された歩廊手摺と、前記歩廊本体の内周端部近傍となる前記球面屋根の外周寄り個所に周方向に配列して設けられた複数の支持ピースと、前記球面屋根の外周寄り個所に設けられた前記各支持ピースに一端側が接続された連結索と、前記通行路の内周寄り個所に前記歩廊本体に沿って延びるよう配置されて、長手方向の複数個所が前記各連結索の他端部に連結された親綱とを備える構成を有する円筒形タンクの歩廊とする。
【００１４】
又、前記構成において、前記支持ピースは、プレート形状を有するものとされ、該支持ピースが前記球面屋根の径方向に沿う面内に配置した姿勢で前記球面屋根に固定される構成とする。
【００１５】
更に、前記構成において前記支持ピースは、前記球面屋根を構築している屋根板における、隣接する別の屋根板との溶接継手と重ならない個所で、且つ該屋根板の下面側に配置されて該屋根板が固定されている屋根骨の近傍となる個所に固定される構成とする。
【００１６】
更に又、前記構成において、前記歩廊手摺は、立設を解除可能な手摺本体と、該手摺本体を前記通行路に突出しないように収納する収納部を備える構成とする。
【発明の効果】
【００１７】
本発明の円筒形タンクの歩廊によれば、作業者が、手摺の有無にかかわらず、転落防止の安全確保を図った状態で通行することができる。
【図面の簡単な説明】
【００１８】
【図１】本発明の円筒形タンクの歩廊の実施の一形態を示す切断側面図である。
【図２】図１のＡ−Ａ方向矢視図である。
【図３】図１の歩廊を備えた円筒形タンクの概略平面図である。
【図４】本発明の実施の他の形態を示す切断側面図である。
【図５】本発明の実施の更に他の形態を示すもので、（ａ）は切断側面図、（ｂ）は（ａ）における要部を拡大して示す図である。
【図６】本発明の応用例を示すもので、歩廊を備えた円筒形タンクの概略平面図である。
【発明を実施するための形態】
【００１９】
以下、本発明を実施するための形態を図面を参照して説明する。
【００２０】
図１乃至図３は本発明の円筒形タンクの歩廊の実施の一形態を示すものである。
【００２１】
本発明の円筒形タンクの歩廊（以下、本発明の歩廊と略記する）は、図１乃至図３に符号１で示すもので、球面屋根２を備えた円筒形タンクＴにおける球面屋根２の外周縁部の上側で、且つコンクリート側壁３の頂部となる個所に、上面に作業者ａの通行路４ａを備えた歩廊本体４が、円筒形タンクの周方向の全周に亘り設けられている。
【００２２】
通行路４ａの外周側位置には、固定部材４ｂが設けられている。固定部材４ｂには、複数の支柱１４と桟１５が組み合わされた歩廊手摺５の基端側が固定されている。これにより、通行路４ａの外周側位置には、歩廊手摺５が立設される。なお、歩廊手摺５は、固定部材４ｂから取り外された場合には、歩廊本体４に対する立設状態が解除されるものとなっている。取り外され歩廊手摺５は、たとえば、再び使用されるまで撤去あるいは収納されるようにすればよい。
【００２３】
更に、歩廊本体４の内周端部近傍となる球面屋根２の外周寄り個所には、複数の支持ピース６が、周方向に或る間隔で配列して設けられている。
【００２４】
支持ピース６は、上部を半円形とし、下部を角形としたプレート形状とされ、上部の半円形と同心となる個所にアイ７が穿設されている。
【００２５】
かかる構成の支持ピース６は、球面屋根２の径方向に沿う面内に配置した姿勢で、下端縁が、球面屋根２を構築している屋根板８の表面に、溶接により固定されている。支持ピース６を球面屋根２の径方向に沿う面内に配置した姿勢としたのは、支持ピース６が、球面屋根２を滑り落ちる雪に対してできるだけ抵抗を生じないようにして、支持ピース６の変形や損傷を抑制するためである。
【００２６】
屋根板８における支持ピース６の固定個所は、隣接する屋根板８同士の溶接継手と重ならない個所で、且つ各屋根板８の下面側（裏面側）に配置されて各屋根板８が固定されている屋根骨９の近傍となる個所に設定してある。これにより、屋根板８は、通常、数ｍｍ程度の板厚の鋼板により形成されるが、このような板厚の屋根板８であっても、支持ピース６にかかる荷重を、屋根板８自体の撓み変形を抑えた状態で屋根骨９へ伝えて、屋根骨９により支持させることができるようにしてある。
【００２７】
各支持ピース６には、アイ７に通したシャックル１０が取り付けられている。各シャックル１０には、或る長さ寸法の連結索１１の一端部が接続されている。
【００２８】
通行路４ａの内周寄り個所には、歩廊本体４の全長に沿って親綱１２が配置されている。この親綱１２は、各支持ピース６の外周側に配置されている長手方向の複数個所に、各連結索１１の他端部が連結されている。
【００２９】
これにより、親綱１２に外周方向への荷重が作用すると、その荷重は、連結索１１、シャックル１０、支持ピース６を介して球面屋根２の屋根板８に伝えられて支持される。
【００３０】
親綱１２及び連結索１１は、外部環境に曝されるものであるため、耐候性の高い索状物であることが好ましい。この種の索状物としては、たとえば、耐候処理されたワイヤを用いるようにすればよい。なお、親綱１２及び連結索１１は、使用しないことが明らかな期間（時期）等には、支持ピース６から取り外すようにし、必要な場合に設置するようにすればよい。
【００３１】
通行路４ａは、球面屋根２の径方向に沿う内周側よりも外周側が低くなるように、表面（上面）を径方向外向きに数度下方に傾斜させてある。これは、通行路４ａの水はけをよくするため、及び、降雪時に球面屋根２より通行路４ａへ滑り落ちた雪について、通行路４ａの外周側への排除を促すためである。
【００３２】
なお、歩廊手摺５は、トープレートを備えない形式の手摺とすることが望ましい。この形式の歩廊手摺５によれば、降雪時に通行路４ａの外周側へ雪を移動させるときに、トープレートが妨げとならないため、通行路４ａの外周側へ雪をより効率よく排除させることができる。
【００３３】
以上の構成としてある本発明の歩廊１を使用する場合は、図１に示すように、作業者ａは、自身に装着した安全帯ｂのロープｃの先端部のフックｄを、親綱１２に掛ける。この状態で、作業者ａは、通行路４ａを歩行するようにする。
【００３４】
作業者ａの歩行に伴ってフックｄが親綱１２の長手方向における連結索１１の連結個所に達すると、作業者ａは、その都度、歩行を一旦停止して、フックｄを、連結索１１の連結個所を越えた位置の親綱１２に掛け直し、その後、歩行を再開するようにする。
【００３５】
これにより、通行路４ａを歩行する作業者ａは、安全帯ｂとそのロープｃ及びフックｄを介して親綱１２に支持されることになる。
【００３６】
又、親綱１２及び連結索１１は、径が歩廊手摺５の支柱１４や桟１５の径に比して細いため、たとえ雪の下に埋もれていたとしても、作業者が親綱１２の一部を持って上方に引き上げることで、親綱１２及び連結索１１を雪の下から容易に引き出して、使用可能な状態とすることができる。
【００３７】
このように、本発明の歩廊１によれば、作業者ａが安全帯ｂを装着し、そのロープｃの先端側のフックｄを親綱１２に掛けることにより、作業者ａの転落を防止することができる。
【００３８】
これにより、降雪時に球面屋根２を滑り落ちる雪の荷重が、歩廊手摺５に作用した状態のときには、作業者ａは歩廊手摺５に頼ることなく、通行路４ａを通行することができる。
【００３９】
そのため、本発明の歩廊１は、降雪時であっても、作業者ａが通行路４ａを通行して球面屋根２に設けられている機器や計器まで到達することができるものとなるため、その機器や計器の点検作業の実施が可能になる。
【００４０】
更に、本発明の歩廊１では、作業者ａは安全帯ｂを介して親綱１２により転落防止の安全確保を図ることができるため、球面屋根２より通行路４ａに滑り落ちた雪の荷重が歩廊手摺５に作用した場合に、この歩廊手摺５の健全性を確認する作業を行うことができる。
【００４１】
したがって、本発明の歩廊１では、作業者ａが、歩廊手摺５の有無にかかわらず、転落防止の安全確保を図った状態で通行することができる。
【００４２】
前記実施の形態では、歩廊本体４に、固定部材４ｂを介して歩廊手摺５が固定されている構成について説明したが、歩廊手摺は、たとえば、図４に示す如き歩廊手摺５ａ、あるいは、図５（ａ）（ｂ）に示す如き歩廊手摺５ｂのように、立設した状態と、立設を解除した状態とをより容易に切り替え可能な手摺本体１３を備えると共に、立設を解除した状態の手摺本体１３を収納する収納部を備える構成としてもよい。
【００４３】
すなわち、図４は本発明の実施の他の形態を示すもので、図１乃至図３に示したと同様の構成において、回転収納式の手摺本体１３を備える歩廊手摺５ａとしたものである。
【００４４】
手摺本体１３は、２本以上の複数本の支柱１４と、支柱１４同士の間に上下複数段に配置して両端側を各支柱１４に取り付けた横方向に延びる桟１５とから構成されている。なお、各支柱１４は、歩廊手摺５ａに必要とされる高さ寸法よりも或る寸法長くなるように設定されている。
【００４５】
通行路４ａの表面には、手摺本体１３の収納部として、手摺本体１３の支柱１４と桟１５の径に応じた深さの手摺収納溝１６が設けられている。
【００４６】
更に、歩廊本体４の外周寄り個所には、支柱１４の外径よりも大きい内径を有する中空の支柱差込管１７が埋設されている。
【００４７】
中空の支柱差込管１７は、手摺本体１３を立てたときに、支柱１４の下端部を差し込んだ状態で手摺本体１３を立設状態で支持するのに十分な長さ寸法を備えている。
【００４８】
以上の構成としてある歩廊手摺５ａは、各支柱１４の下端部を、対応する支柱差込管１７に差し込んで立てることで立設される。この状態で、手摺本体１３は、傾倒が防止されるので、通行路４ａを通行する作業者の転落防止の機能を発揮する。
【００４９】
一方、手摺本体１３は、立設状態から持ち上げて、各支柱１４を支柱差込管１７より抜き出した後、通行路４ａ側に倒すことにより、図４に二点鎖線で示すように、手摺本体１３が手摺収納溝１６に収納される。この状態では、通行路４ａの外周側に、通行路４ａよりも上方に突出するものが存在しなくなる。なお、手摺本体１３は、図示しない索状物により歩廊本体４と連結して、手摺本体１３自体の落下防止を図るようにしてあるものとする。
【００５０】
図５（ａ）（ｂ）は本発明の実施の更に他の形態を示すもので、図１乃至図３に示したと同様の構成において、垂直収納式の手摺本体１３を備える歩廊手摺５ｂとしたものである。
【００５１】
手摺本体１３は、図４に示した手摺本体１３と同様の構成を備えている。更に、図５（ｂ）に示すように、各支柱１４の下端寄り個所には、内外方向（歩廊１の放射方向）に貫通するピン差込孔１８が設けられている。
【００５２】
歩廊本体４の外側となるコンクリート側壁３の外周面には、上端部に、図５（ａ）に示すように、手摺本体１３の収納部として、手摺本体１３全体を上端開口部１９ａから差し入れて収納可能な手摺収納容器１９が設けられている。手摺収納容器１９は、球面屋根２の径方向に沿う方向の内法寸法が、手摺本体１３の支柱１４の外径よりも大きくなるようにしてある。
【００５３】
手摺収納容器１９の上端開口部１９ａの周縁には、図５（ｂ）に示すように、手摺本体１３の支柱１４と対応する（対峙する）個所に、係止ピン収納溝２０が切欠きとして設けられている。これにより、手摺本体１３の支柱１４のピン差込孔１８に貫通するように差し込んだ状態の係止ピン２１の両端部を、係止ピン収納溝２０の内側に収納できるようにしてある。
【００５４】
更に、たとえば、手摺収納容器１９の上端開口部１９ａの内側と支柱１４との間には、支柱１４の下端部が手摺収納容器１９から完全に抜け出ないようにするための図示しないストッパを備えることが望ましい。
【００５５】
以上の構成としてある歩廊手摺５ｂでは、手摺本体１３を手摺収納容器１９の上方へ引き上げた状態で、支柱１４のピン差込孔１８に係止ピン２１を差し込み、その後、手摺本体１３を下降させて、係止ピン２１の両端部を係止ピン収納溝２０の内側に収納させる。この状態で、歩廊手摺５ｂでは、手摺本体１３が、歩廊１の通行路４ａよりも上方に突出するように立設される。この状態で、手摺本体１３は、傾倒が防止されるので、通行路４ａを通行する作業者の転落防止の機能を発揮する。
【００５６】
一方、手摺本体１３は、立設状態から持ち上げて、支柱１４のピン差込孔１８より係止ピン２１を抜き取り、その後、手摺収納容器１９内に降ろすことにより、図５（ａ）に二点鎖線で示すように、手摺本体１３が手摺収納容器１９に収納される。この状態では、通行路４ａの外周側に、通行路４ａよりも上方に突出するものが存在しなくなる。
【００５７】
したがって、図４に示した実施の形態の歩廊１、及び、図５（ａ）（ｂ）に示した実施の形態の歩廊１は、いずれも、降雪時には、歩廊手摺５ａ，５ｂの収納部に、手摺本体１３を収納することができる。このため、降雪時に球面屋根２を滑り落ちて通行路４ａに溜まる雪による歩廊手摺５ａや歩廊手摺５ｂの損傷を未然に防止することができる。
【００５８】
又、降雪時に球面屋根２を滑り落ちて通行路４ａに達した雪は、通行路４ａ上を通過させて外周側への落下を促すことができる。
【００５９】
更に、図４に示した実施の形態の歩廊１、及び、図５（ａ）（ｂ）に示した実施の形態の歩廊１では、手摺本体１３を収納した状態であっても、図１乃至図３の実施の形態と同様に、作業者ａは、親綱１２と安全帯ｂにより転落防止の安全確保を図った状態で通行路４ａを通行することができる（図１参照）。
【００６０】
したがって、降雪時であっても、作業者ａが通行路４ａを通行して球面屋根２に設けられている機器や計器まで到達することができるため、その機器や計器の点検作業を実施することができる。
【００６１】
更に、図４に示した実施の形態の歩廊１、及び、図５（ａ）（ｂ）に示した実施の形態の歩廊１では、作業者ａは安全帯ｂを介して親綱１２により転落防止の安全確保を図った状態で、手摺本体１３を立設する作業や、手摺本体１３の立設状態を解除して収納部へ収納する作業を行うことができる。
【００６２】
ところで、円筒形タンクＴが、降雪時期に、たとえば、海側から山側へ向かう方向等のように、ほぼ決まった方向の風（季節風）が吹く地域に設けられている場合は、円筒形タンクＴの球面屋根２における風の吹く方向の上流側の半円部には雪が積もり難く、一方、風の吹く方向の下流側の半円部には雪が積もり易いという傾向が生じる。
【００６３】
そのため、本発明の歩廊１の応用例としては、図６に示すように、降雪時期に円筒形タンクＴを設けた地域に吹く風の方向が、矢印Ｄで示す方向にほぼ決まっている場合、支持ピース６と連結索１１と親綱１２は、円筒形タンクＴの球面屋根２における前記風の吹く方向の下流側の半円部にのみ設けた構成としてもよい。
【００６４】
又、図示しないが、この場合は、円筒形タンクＴの歩廊本体４における前記風の吹く方向の下流側の半円部にのみ、固定式の歩廊手摺５に代えて、図４に示した歩廊手摺５ａや、図５（ａ）（ｂ）に示した歩廊手摺５ｂを備えた構成としてもよい。
【００６５】
なお、本発明は、前記実施の形態にのみ限定されるものではなく、支持ピース６の歩廊本体４に沿う方向の配置数は、円筒形タンクＴのサイズに応じて適宜変更してよい。
【００６６】
支持ピース６は、屋根板８に設置して連結索１１の一端部を接続できるようにしてあれば、図示した以外の形状としてもよい。
【００６７】
本発明の歩廊１は、降雪時期に歩廊本体４の通行路４ａに突出するものをなくすために、立設を解除した状態の手摺本体１３を、図４に示したような通行路４ａに形成した手摺収納溝１６や、図５（ａ）（ｂ）に示したような手摺収納容器１９以外の任意の収納部に収納する形式としてもよい。あるいは、歩廊手摺は、手摺本体１３を、収納ではなく、歩廊本体４の外周側へ倒す形式のものとしてもよい。
【００６８】
球面屋根２の傾斜角度や、コンクリート側壁３の厚み、歩廊本体４の断面形状や、通行路４ａの幅寸法等、図示したものの形状や寸法、及び、各部材同士の寸法比は、図示するための便宜上のものであり、実際の寸法や比率を反映したものではない。
【００６９】
その他本発明の要旨を逸脱しない範囲内で種々変更を加え得ることは勿論である。
【符号の説明】
【００７０】
１  歩廊、２  球面屋根、４  歩廊本体、４ａ  通行路、５，５ａ，５ｂ  歩廊手摺、６  支持ピース、８  屋根板、９  屋根骨、１１  連結索、１２  親綱、１６  手摺収納溝（収納部）、１９  手摺収納容器（収納部）、Ｔ  円筒形タンク
【図１】
0006476749.tif 000002
【図２】
0006476749.tif 000003
【図３】
0006476749.tif 000004
【図４】
0006476749.tif 000005
【図５】
0006476749.tif 000006
【図６】
0006476749.tif 000007